(57)【要約】音楽に変換したい光源を設定し、その光源からの光や光線を、入射口より自在可動光反射板へ入射し、入射されたその光を、反射板をコントロールして受光センサー（受光素子）鍵盤に照射して音を奏でるシステムであり、このシステムの情報を電子化（３ＤＣＧ等）変換処理を行い、ＰＣやスマートフォンなどのハード機器にインストールすることで、ＣＣＤ、ＣＭＯＳイメージセンサーから送られる画像に変換される信号に複合合成し画面の中でシュミレーション起動させて画面上の光や光線を、シュミレーションされた電子楽器に接合される受光センサー鍵盤に反射を利用した照射をコントロールして音やメロディーを奏でるシステムでる事も不可能ではないシステムである。
2015046179.tif 000002
【特許請求の範囲】
【請求項１】
受光センサー（受光素子）を駆使した電子楽器において、電子楽器に接続される、音名音階ごとに区分けされた受光センサー（受光素子）に、レーザービーム等の光を自在に制御して照射を行い、その受光センサー（受光素子）の光の検知や感知によって、音やメロディーを奏でる特徴を有する楽器システム
【請求項２】
請求項１の楽器システムにおいて、前記楽器システム情報の電子化（３ＤＣＧ等）変換処理を行い、ＰＣやスマートフォンなどのハードウエアー機器にソフトウエアーとして使用し音やメロディーを奏でる特徴を有する楽器システムを保有する電子機器
【請求項３】
受光センサー（受光素子）を駆使した電子楽器において、光源からの光を、反射板の制御によって、電子楽器に接続されている、音名音階ごとに区分けされた受光センサー（受光素子）に照射を行い、光の検知や感知によって、音やメロディーを奏でる特徴を有する楽器システム
【請求項４】
請求項３の光の反射を制御して音を奏でる楽器システムにおいて、前記楽器システム情報の電子化（３ＤＣＧ等）変換処理を行い、ＰＣやスマートフォンなどのハードウエアー機器にソフトウエアーとして使用し音やメロディーを奏でる特徴を有する楽器システムを保有する電子機器
【請求項５】
シンセサイザー楽器システムにおいて、前記システム機能のコントロールを目的としたコントロールレバーを、管楽器を奏でるときの右手使い側と左手使い側の二本に分け、複数の管楽器の奏で方に対応できる指孔を配列し、各管楽器ごとに音名音階のパターンを記憶させたシンセサイザーの電子変換でさまざまな音を奏でると同時に、他機能のコントロールを可能としたコントロールレバーを有する楽器システム（図４符号Ｚ参照）
【発明の詳細な説明】
【技術分野】
【０００１】
楽器  ＰＣ  スマートフォン  受光素子
【背景技術】
【０００２】
受光センサー（受光素子）を駆使した楽器として、ピアノ鍵盤装置に関する特願H０６−２９８５７３の反射板付鍵盤の鍵盤移動角度に感応する受光式鍵盤システムがあげられる。
また、Ｐ−５３９６４２０の特許登録で、光ディスク媒体の記録読み取り技術に関する
読み取り手段である、照射光のから変換された反射光の繊細な検知方法などがあげられる。  【０００３】
光の反射を利用した音楽の再生手段で代表的なＣＤやＤＶＤなどの技術は、光の照射によって記憶固定された信号を読み取るシステムであり、リアルタイムでの知覚的な変換が行えないところ（反射の制御等）が、今回の考案と大きな違いだと思われる。【０００４】
ＭＩＤＩ規格をもとに電子化された楽器等がインターネット上に多く掲載されており、演奏コントローラーによる楽器の演奏方式の変換技術等の進化とコンピュータ制御による複数、多種の楽器を接合し演奏できるプログラムなどが今やソフト化されており、ＰＣなどでの演奏や、自動作曲ソフト等まで販売されている。【０００５】
しかし、簡易的なインターネット閲覧から、今回の発明と類似したシステム、設定された光源の光の反射を自在に制御して音名音階ごとに区分けされた受光センサー（受光素子）鍵盤に照射してメロディーを奏でるシステムは見つからなかった。
【先行技術文献】
【特許文献】
【０００６】
【特許文献１】特開２００８−１９４９３３
【特許文献２】特願１９９４―２９８５７３
【特許文献３】Ｐ−５３９６４２０
【非特許文献】
【０００７】
特になし
【発明の概要】
【発明が解決しようとする課題】
【０００８】
本発明は日常生活の中で常に身近な存在である光、主に街燈、街のイルミネーション等から音楽、メロディーを発掘する事が課題であり、その発掘に関連する根源となるさまざまな光源を音楽に変換する方法を創出する事にある。
【課題を解決するための手段】
【０００９】
課題を解決するための手段としての基本構造として、ピアノの鍵盤に例えた一例的な説明になるが、音名、音階ごとに区別されているピアノ鍵盤に光センサーあるいは受光センサー（受光素子）を内蔵したものを用意し、あらかじめ設定された光源からの光、光線等を、自在可動反射板（図１参照）の反射制御で照射して鍵盤を奏でる演奏方法を考案した。
【発明の効果】
【００１０】
今回考案したシステムの大型なものは、ライブやコンサートホール等でこれまでに見た事のない演奏パフォーマンスが可能であり、このシステムの電子化盤は、音楽業界、ＰＣ、ファミコンゲーム機  携帯電話、カーナビなどの分野の活性化につながる可能性があり、だれにでも作曲が可能になるシステムにより作曲を試みる方、音楽に興味を持つ多くの方々の新規参入が期待できると思う。
（スマートフォンの画面で街のイルミネーションを奏でる事も可能である。）
【図面の簡単な説明】
【００１１】
【図１】図１は、入射口からの光や光線を自在可動反射板の制御で受光センサー（受光素子）鍵盤を照射して奏でる原理の説明図
【図２】図２は自在可動光反射板式受光センサー（受光素子）との他システム複合図        矢印線は音づくりの基本的なシステムの説明矢印点線は光源をスマートフォン等のビデオカメラ機能を流用した場合のシステムの説明
【図３】図３は、ＣＣＤやＣＭＯＳイメージセンサー系のビデオカメラ部本体に自在可動            光反射板と電子楽器に接合する受光センサー（受光素子）を組み込んだ投影図と、        そのシステムの電子化にともなう関連機器と接続例
【図４】自在可動光反射板と新型コントローラー付シンセサイザー
【発明を実施するための形態】
【００１２】
本発明のきっかけと経緯の説明として、夜間自動車を運転していると必ず目に付くのが
暗がりの道路の危険性に配慮された、音符のような街灯である。
普段その街灯の存在はごく当たりまえの光景であり、気にとめる存在ではないと思われる。
しかし自動車でお気に入りの音楽を聴きながら、夜間走行時の流れる数々の街灯の光に魅了され、音楽との接点を考えるようになった。
そこでひらめいたのが、この流れる街燈を音楽に変換するシステムである。
【００１３】
初めは自動車のサンルーフ部を、光を検知し音のでるピアノの鍵盤に想定して、光の通過から出来上がる音楽をイメージしてみたが、変化に乏しくたくさんの曲を生み出すには蛇行運転や速度超過をくりかえさなければならない。そんな危険運転を行う音づくりなど認められるわけがない。
【００１４】
そこで、その流れる街灯の光を、回転を可能とする反射板に反射させて、その反射板の反射角度と、反射板の回転速度を制御して、光や光線等を受光センサー（受光素子）鍵盤に照射して奏でるという方法を考案した。この方法なら一定の速度、通常の運転、更に停車中でも幅の広い音づくりが可能であり、自動車の移動時に創れる音楽から、光があれば創れる音楽となった。
【００１５】
前記００１２〜００１４項で発明までの簡単な経緯と工夫について記載したが発明の名称である、自在可動光反射板と受光センサー（受光素子）検知型電子楽器についての説明を加える。
幼き頃に、鏡を手に持って太陽の光などを、自分の狙った位置へ反射させて遊んだ事がだれでもあると思うが、その遊び方の流用と言うとわかりやすい。あらかじめ設定された光源からの光を、反射板を使って反射を制御して、受光センサー（受光素子）鍵盤を奏でる仕組みで、ここでは反射板を手に持ってコントロールする動作を機械化したものを、自在可動反射板と考えていただくとわかりやすい。
【００１６】
００１４項で簡単に説明した仕組みを、図面を使っての説明にはいる。
図１の符号Ａは受光センサー（受光素子）鍵盤で、図１では自在可動反射板でコントロールされた光が（矢印）鍵盤に照射される図である。鍵盤は受光センサー（受光素子）による音名、音階に区分けされていて、図１符号Ｅ部から入射された光を反射板で制御し、鍵盤を照射して音を奏でる仕組みを説明している。
【００１７】
符号Ｂは自在可動型反射板の固定台であり、自在すなわち、ありとあらゆる方向への動作を可能とした機構（符号Ｂ１  Ｂ２、はその可動する方向性の矢印）で、この自在の動きで受光センサー（受光素子）鍵盤への照射を制御し音の変化を創りあげる機能の一つである。
符号Ｄ部の反射板の回転と符号Ｂ１Ｂ２の動きは自動演奏を可能としており、複数の決められたパターンの動作がプログラムされ、今後の課題としては自動作曲ソフトとの融合である。また、反射させる光の曖昧な変化を加えるバイブレーション機能等の複合する。
【００１８】
符号Ｃは反射板本体の図で三面からの構成だが、目的によって片側１面から複数面に変更可能な部分である。符号Ｄ部付近を軸に符号Ｂ４矢印の示す両方向へ回転がコントロールできる構造であり、符号Ｃ２の本体の点線はその反射板本体の回転において、回転軸に分割された数の小型モータを配置等で分割可動を可能とし、その境界線を表した点線である。
【００１９】
符号Ｄは、自在可動光の反射板の制御回路等を収める部分の図で遠隔操作のための受信部とした簡易的な図である。
【００２０】
符号Ｅは、光、光線の入射口レンズを示す簡単な図である。
音楽に変換したい光源を設定し、その光源からの光や光線を、符号Ｅ部の入射口より自在可動光反射板へ入射し、入射されたその光の反射をコントロールして受光センサー（受光素子）鍵盤に照射して音を奏でる仕組みである。
【００２１】
また、００１６〜００２０項までの設定した光源からの光、光線を入射口より自在可動型反射板の反射制御によって受光センサー（受光素子）鍵盤を奏でるシステムを、機械工学的な観点よりこのシステムの情報を電子化（３ＤＣＧ等）変換処理を行いソフト化する事で、ビデオカメラ機能とその画像化を可能とする（ＰＣ、スマートフォン、ドライブレコーダー、ファミコン等）ハード機器へ融合させる事で、ＰＣ、スマートフォン、ドライブレコーダーのカメラレンズより入射した光を、スマートフォンの画面タッチやＰＣのキーボード等で奏でる事も不可能ではなく、その他ニーズに合ったＭＩＤＩ系演奏用コントローラーやシンセサイザー等の電子楽器を接続することで、テクニカルな演奏パフォーマンスの創出につながる事と考えている。
【００２２】
以上図１の符号Ａ〜Ｅからの各部によって、設定した光源からの光を受光センサー内蔵鍵盤に反射板のコントロール照射で音を奏でるための各部機能の概要説明とした。
この明細書に引用している文言の（光や光線・・）とは、光学の分野で認められる赤外線から紫外線までの範囲と考えているのもで、前記００２１項中にあるシステム情報の電子化による（３ＤＣＧ等）への変換処理を行ってシュミレーション画像に置き換えた場合は光や光線の範囲は光子レベルまで含まれる説明とする。
【００２３】
次に００１６〜００２１項までの自在可動反射式受光楽器のメカニズムの概要とこのメカニズムの電子化（ＣＣＤやＣＭＯＳイメージセンサーと３ＤＣＧ等の複合）にともなう実施例と追加する技術等の概略を簡単に説明する。
【００２４】
図３は、デジタルカメラの被写体を取り込むレンズ部とＣＣＤ、ＣＭＯＳイメージセンサーが収められている本体の投影図で、その中に、音を奏でるための装置（符号Ｒ）自在可動光反射板と、（符号Ａ）電子楽器に接合される受光センサー（受光素子）鍵盤を組み込んだ簡単な説明図である。
【００２５】
図面からの補足として、カメラ、ビデオ撮影機能に影響をおよぼさない位置に、音を奏でるための装置（符号Ｒ）自在可動光反射板と、（符号Ａ）電子楽器に接合される受光センサー（受光素子）鍵盤を配置し、スマートフォン、ドライブレコーダー、ＰＣは従来どうりの使用が可能である事を前提に、新機能の追加として、光と音の新しい楽しみ方が付属されたと考えていただきたい。
【００２６】
図３（符号Ｒ）の自在可動する反射板を手動（コントローラー等）で制御して（符号Ａ）の受光センサー（受光素子）鍵盤に光や光線を照射し音を奏でるシステムだが（符号Ｒ）の自在可動光反射板の動きを複数プログラムしておきそのプログラムの中から選んだ自動演奏も可能であることは、前記００１７項でも説明したとうりである。
【００２７】
すぐれたメロディーの追及はまだまだこれからの課題であるが、ここで、００２４項〜００２６項に説明した機能をスマートフォンで楽しむ方法を、次にいくつかあげる。
【００２８】
例えば部屋の中では照明があればどこでもよくカメラレンズを光源の向けて置くだけで図３の（符号Ｒ）部の自動設定でそこにしかない音がきけて編集もできる。また自動車のダッシュボードに置くだけで流れる街灯による演奏が聴ける。またカメラレンズ部分を分割可能なもの（又は専用オプションカメラレンズ）単体にして、音楽にしたい光を設定しカメラレンズ部を固定しスマートフォン本体にインストールされたコントロール用タッチ画面で（符号Ｒ）部を自らのコントロールでカメラ映像を見ながら光を追って音を奏でる事も可能であり、遠くはなれた仲間その音楽構成を共有することも不可能ではない。
【００２９】
００２４項〜００２８項の説明は、デジタルカメラの被写体を取り込むレンズ部とＣＣＤ、やＣＭＯＳイメージセンサーが収められている本体の中に、音を奏でるための装置（符号Ｒ）自在可動光反射板と、（符号Ａ）電子楽器に接合される受光センサー（受光素子）鍵盤を組み込んだ図より、音やメロディーをどのように創り、楽しむのかの説明とする。
（図３からの  符号  Ａ  Ｏ  Ｐ  Ｑ  Ｒ  Ｕ  を限定してご確認て下さい）
【００３０】
次に、音を奏でるための装置（符号Ｒ）自在可動光反射板と、（符号Ａ）電子楽器に接合される受光センサー（受光素子）鍵盤を組み込んだ図より、その（符号Ｒ）自在可動光反射板と、（符号Ａ）電子楽器に接合される受光センサー（受光素子）鍵盤を機械工学的な観点より、このシステムの情報を電子化（３ＤＣＧ等）変換処理を行いシュミレーション機能に変換しハード機器（ＰＣ、スマートフォン等）へ合成し使用する説明に入る
【００３１】
図３（符号Ｒ）と（符号Ａ）を、ＣＣＤ、ＣＭＯＳイメージセンサー式カメラ内に光から音を奏でる目的とした新機能が組み込まれている。しかしとても小さなカメラの中にこの機器を組み込み普及させる事は容易ではない。
（符号Ｗ）は、（符号Ｒ+符号Ａ）の新機能と更にドライブレコーダーやカーナビ等の信号の一部を利用し複合したソフトやシンセサイザー機能、編集、作曲ソフト等が組み込まれた多重ソフトボックスとしたもので、ＰＣやスマートフォンなどのハード機器にインストールして使用でき３ＤＣＧ対応ソフトであり、ＣＣＤ、ＣＭＯＳイメージセンサーから送られる画像に変換される信号に複合合成し画面の中でシュミレーション起動させて画面上の光や光線を、シュミレーションされた電子楽器に接合される受光センサー鍵盤に反射を利用した照射をコントロールして音やメロディーを奏でるシステムである。
【００３２】
今回の考案は、光や光線の照射を自在可動反射板の制御による反射で受光センサー内蔵鍵盤を奏でるという仕組みであるが、光の反射（正反射、回帰反射、拡散反射）あるいは屈折、偏光等において決まった計算式があり、光源の正確な位置と光源からの光や光線を制御する反射板の正確な角度と、受光センサー（受光素子）の正確な位置関係の検知からシステムの電子化（３ＤＣＧ等）変換処理を行いソフト化したシュミレーションによる的異次元画像への転用が期待できる。
【００３３】
図１の図面上の記載がないが、この入射口レンズ付近には、デジタルカメラなどに使われている技術（ズーム機能、三角測距、その他最新の検知システム等）を応用し装備する事と、光源の設定を電子制御可能とする事で、前記００１６〜００１９項のシステムを、電子化（３ＤＣＧ等）変換処理したソフトによるシュミレーションをＣＣＤやＣＭＯＳイメージセンサーからの映像に合成し音を奏でる事も可能と００３２項でも説明している。
【００３４】
その電子化された自在可動反射板に対して、受光センサー（受光素子）鍵盤側に関する機能向上点として、図１の（符号A）の受光センサー（受光素子）鍵盤については、電子化（３ＤＣＧ）に変換して使用する場合、その受光センサー内蔵（受光素子）鍵盤を必要に応じて複数台の配置（例えば２段、３段重とか、直線上に何台も並べるとか、時計のように５９番と０番鍵盤を円状につなぐなど、）して常識的な演奏からの離脱をはかる事が可能とも考える。また、ドラムセットやギターコード等に変換した受光センサー（受光素子）を内蔵することも可能であり、さまざまな楽器に転用できる技術である。
符号Aの受光センサー（受光素子）の鍵盤の図だが、各楽器に合わせて受光センサー（受光素子）を設ければ、ドラムセットやギター、その他の楽器に応用が可能な事は言うまでもない。
また、光センサー（受光素子）鍵盤の音名、音階ごとに区別する方法として、個別にセンサーを配列する方法と、一体のインターライン型ＣＣＤイメージセンサー配列を音名、音階ごと区分けし、区分けされた配列ごとに信号がおくれる構造にしたＣＣＤを使用する、
また、ＣＭＯＳイメージセンサーもこのような応用で一体のＣＭＯＳが利用できると考える。更に、受光センサー部の感知レベルの制御方法に工夫する事で音域を広げる。
【００３５】
また、前記００３０〜００３４項のさまざまな楽器を一度に奏でる場合等に備えて、図３の（符号Ｒ）自在可動光反射板と（符号Ａ）受光センサー（受光素子）鍵盤を複数の構成にすること受光センサー（受光素子）鍵盤の受光部を鍵盤から弦楽器、管楽器などに変換できる機能構造も可能であると考えている。
【００３６】
追加される機能説明の順序が多少前後してしまうが、説明を続ける。
図１の符号Ｆ部の入射口については、極力薄型のズーム機能と、光源の設定と電子化されたソフトで使用する際の繊細な情報処理等に欠かせない光検出位置検出センサー等が装着される。また、光源の設定を目的とした入射口の自在可動機能を備え遠隔操作に対応した仕様とする。  
【００３７】
またスマートフォン等では、電子化されたソフトのダウンロードが可能となった場合スマートフォン本体に標準装備されている撮影機能のレンズとＣＣＤ部へソフトを連動させることで市販の状態でこの機能が使用できるが、入射口レンズの向きを調整可能になる工夫が必要となることで、入射口及びその他一部の機能部をクリップ式やドライブレコーダーカメラのような本体と分離し無線などで接合した独立型が推奨されると考える。この時ドライブレコーダーに転用できることも見逃せないポイントだ。
【００３８】
図１の符号Ｃ部の反射板の反射面に関して図１では三面からの構成だが各面ごとに
仕様を換える（拡散反射や曲面反射）事で音域を広げ、符号Ｃ部の反射板と符号Ａ部
の間に照射される光、光線を制御するデジタル偏光フィルター的なもので反射板からの入射制御を工夫することで音域の安定と繊細な音づくりができると考える。
【００３９】
次に図２の今回の考案した自在可動型反射板による受光楽器と複合する関連機器の接続による新規性についての一例的ではあるが説明にはいる。
【００４０】
前記００１１〜００１６項に記載された受光楽器を奏でるシステムとシンセサイザー、自動作曲ソフト、ＰＣ、スマートフォン等の複合による楽しみ方の一例的な実施例として説明する。
図２の符号Ｋは００１１〜００１６項記載のシステムにおいて受光センサー鍵盤に照射された時の音をさまざまな音に変換できるシンセサイザー機能を備えている事と、奏でた音、メロディーを瞬時に楽譜変換と記憶が行えるシステムである。そのままスピーカーにつなげて音をだせるが（符号Ｈ+Ｉ＋Ｊ+Ｋ+スピーカー）、楽譜変換を記憶しているところが新しく市販されている自動作曲ソフトに接合する事でまったく違う音が期待できる。（符号Ｈ+Ｉ+Ｊ+Ｋ+Ｍ+スピーカー）
【００４１】
自在可動型反射板による受光楽器のシステムを電子化したソフト（符号Ｎ）をインストールしたスマートフォンやビデオカメラ付きのＰＣ、ドライブレコーダー等（符号Ｌ）を前記記載の（符号Ｋ）へ接合することで００２０項の楽しみ方ができる。（Ｈ+Ｌ+Ｎ+Ｋ）+（Ｍ）また、符号Ｋ譜面化されたデータはＰＣなどで後から編集をかけて楽しむ事が可能なシステム構成である。
【００４２】
次に図４の新型シンセサイザーの説明にはいる。
【００４３】
まず、図３の（符号Ｒ）自在可動光反射板の反射板本体と反射板の固定台にレーザービームランプを備えた改良盤が図４（符号Ｒ）であり、コントローラー図４（符号Ｚ）の操作で自動、手動で色構成、点滅、点灯、左右上下、回転速度等を制御して電子楽器に接続される受光センサー（受光素子）鍵盤を照射して奏でる動作を追加した仕様である。
前記００１６〜００２０項記載の反射板の制御操作もほぼ同じ操作で行えるシステムで、
受光センサー（受光素子）への照射が反射を利用するか、レーザービーム光線で照射するかの違いである。
しかし、実際には照射方法の違いによる機能の補足が必要となると想定でき、現段階では理論的な新規性についての説明としている。
【００４４】
次に図４（符号Ｚ）（符号Ｘ１〜４）については、従来系のシンセサイザーと呼ばれる電子楽器の音の出し方は、ほとんどが鍵盤の演奏から複数の音色を奏でるタイプのようだった。今回の考案は自在可動反射板のコントロール操作と同時に、管楽器を演奏するように指で穴をふさぐパターンを電子信号に変換してシンセサイザーをとうして音を奏でる演奏方法において、その管楽器を２分割して、図４（符号R）部のコントロールレバーとの併用で合奏するものであり、電子管楽器の演奏をヒントに考案したものである。
【００４５】
管楽器は１０本の指で弾けることで、通常の演奏時の右手側と左手側とを二つにわけ演奏することで、演奏しながらでも笛を傾ける動作で図４（符号Ｒ）自在可動反射板をコントロールし合奏できるシステムとしたもので、音色はシンセサイザーと同様で自由に選ぶことができる。呼吸で吹くところはブレストコントローラの使用または、Ｘ１、Ｘ２の８チャンネルの内の１チャンネルでのレバーコントロールで行うことも可能である。
図４の（符号Ｒ）の操作の基本として上下で２チャンネル、左右で２チャンネル、回転前後で２チャンネル+回転速度、計７チャンネルで、呼吸で吹く操作を+１チャンネル計８チャンネルとなる。またコントローラーのアーム部には、制御スイッチ等を設ける事も可能であり使いやすさの追求が今後課題である。
【００４６】
ここで一言付けくわえさせていただくと文言からのイメージだと管楽器だが、従来のシンセサイザーよりも音の領域を広げることが可能であり、それを超えなくては新システムの
意味がない。  しかし、今後課題であることも事実である。
【００４７】
００４３〜００４６項では笛の演奏原理から演奏者の正確な知覚リズムを奏でることと
楽譜にあわせての演奏が可能なので、自在可動光反射システムの融合がいち早く楽しめる電子コントローラー楽器だと考えている。
また、穴のふさぎかたが各管楽器によって違うが、穴のふさぎ方を各管楽器の仕様変更する機能も簡単にできるのが、電子楽器のすぐれているところであり、右でトランペット、左でトロンボーンといった合奏も可能になるシステムである。
【産業上の利用可能性】
【００４８】
今回考案したシステムの大型なものは、ライブやコンサートホール等でこれまでに見た事のない演奏パフォーマンスが可能であり、このシステムの電子化盤は、音楽業界、ＰＣ、ファミコンゲーム機  携帯電話などの分野の活性化につながる可能性があり、だれにでも作曲が可能になるシステムにより作曲を試みる方、音楽に興味を持つ多くの方々の新規参入が期待できると思う。作曲に関する事が身近に感じられる事で音楽界の活性化につながると考える。
【符号の説明】
【００４９】
Ａ  電子楽器等に接合される受光センサー（受光素子）鍵盤
Ｂ  自在可動反射板固定台（バイブれーたー機能付き）
Ｂ１自在可動反射板固定台の左右の回転方向矢印線
Ｂ２自在可動反射板固定台の上斜めに可動する矢印線
Ｂ３自在可動反射板固定台の下斜めに可動する矢印線
Ｂ４自在可動反射板本体の回転方向矢印線
Ｃ  自在可動反射板
Ｃ２自在可動反射板が分割可動を示す分割部の点線
Ｄ  自在可動反射板の回転動力と制御回路を収めた部分
Ｅ  光、光線の入射口（又はビデオカメラレンズ）
Ｅ１ビデオカメラレンズ
Ｆ  楽譜変換ソフト及び記憶装置
Ｇ  ＰＣやＭＩＤＩ系制御へ接続ポート
Ｈ  光源
Ｉ  自在可動光反射板システムの入射レンズ
Ｊ  （図１）自在可動光反射板システム本体
Ｋ  受光センサーシステム
Ｌ  スマホ等のカメラ付ＰＣ本体
Ｍ  市販の自動作曲ソフト及びシステム本体
Ｎ  （Ｊ）の電子化、デジタル化されたソフト
Ｏ  ＣＣＤやＣＭＯＳイメージセンサーに送られる被写体
Ｐ  光、光線
Ｑ  ＣＣＤ、ＣＭＯＳイメージセンサー受光素子
Ｒ  （図３）自在可動光反射板本体
Ｓ  ＰＣ、スマートフォン
Ｔ  コントローラー
Ｕ  ビデオカメラシステムの新機能とカメラレンズ部本体
Ｖ  ハード機器にある小型カメラ部
Ｗ  （Ｒ）＋（Ａ）新機能と３ＤＣＧ対応多重ソフト
Ｘ１  自在可動光反射板システムコントローラー左
Ｘ２  自在可動光反射板システムコントローラー右
Ｘ３  鍵盤
Ｘ４  出力コントロール部
Ｙ１  反射板本体に取り付けたレーザービームランプ
Ｙ２  反射板の固定台に取り付けたレーザービームランプ
Ｚ  新型シンセサイザーの総体図
【図１】
2015046179.tif 000003
【図２】
2015046179.tif 000004
【図３】
2015046179.tif 000005
【図４】
2015046179.tif 000006
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
受光センサー（受光素子）を駆使した電子楽器において、日常生活の中にあるさまざまな光（部屋の照明、街灯、街のイルミネーション等など）を、音やメロディーを奏でるための光源に利用できる特徴を有し、前記さまざまな光源からの光の設定と調整を行う機能を備えた入射口より入射された光を、知覚操作を可能とした自在可動機能を備えた光反射板と、その光反射板の知覚操作を行うコントローラー（コントロールレバー、コントロールパネル等）を操作して、電子楽器、シンセサイザー等に接続される音名音階ごとに区分けされた受光センサー（受光素子）へ知覚照射を行い、その光反射板による知覚照射を受けた受光センサー（受光素子）の光の検知や感知によって音の変化を創りだしメロディーを奏でる特徴を有する電子楽器。
【請求項２】
受光センサー（受光素子）を駆使した、光の検知や感知によって音の変化を創りだしメロディーを奏でる電子楽器システムに使用される受光センサー（受光素子）において、前記受光センサー（受光素子）に、ビデオカメラ等の撮影機能に使用されている、インターライン型ＣＣＤイメージセンサーやＣＭＯＳイメージセンサー等の一体の配列からなる受光素子（図３―符号Ｑ参照）を、音名音階ごとに区分けし（図１―符号Ａ、図３―符号Ａ参照）、その区分けされた受光素子の配列による音名音階ごとの信号を、電子楽器シンセサイザー等へ送る配信構造を施した特徴を有する受光センサー（受光素子）を使用した、光の検知や感知によって音の変化を創りだしメロディーを奏でる電子楽器。
【請求項３】
請求項１及び請求項２に記載の電子楽器において、前記電子楽器システムの入射口を、ビデオカメラやビデオカメラ機能搭載機器等の撮影用入射レンズを流用し、ビデオカメラ撮影機能内部（図３参照）に前記電子楽器システムを組み込み、そのビデオカメラ機能による被写体の映像画面を見ながら、光源からの光の設定と調整を行い、電子楽器シンセサイザー等に接続される，音名音階ごとに区分けされた受光センサー（受光素子）へ光反射板の知覚操作による照射によって光の検知や感知から音の変化を創りだしメロディーを奏でる特徴を有する電子楽器。
【請求項４】
請求項１、請求項３及び請求項２のいずれかに記載の電子楽器において、前記電子楽器メカニズムの電子化（３ＤＣＧ等）処理を行い、ＰＣやスマートフォン、ドライブレコーダー等のビデオカメラ機能搭載のハードウェアー機器および分割したビデオカメラ機能に接続されるハードウェアー機器にインストールされるソフトウェアーに変換し、前記ハードウェアー機器のビデオカメラ機能の映像や画像信号等を利用し、ソフトウェアーに変換された光反射板の知覚照射機能と受光センサー（受光素子）による電子楽器のシュミレーションをそのビデオカメラ映像の中に合成し起動させて、ビデオカメラ映像画面上に構成された自在可動機能を備えた光反射板と受光センサー（受光素子）シュミレーションの知覚操作と、電子化にともなう画面上の計算されたさまざまな光を光源に利用して音やメロデイー奏でる特徴を有し、また１台のビデオカメラ映像の中へ前記電子楽器の台数を簡単に増やす事を可能とした特徴を有する、シンセサイザー電子楽器等に接続される、音名音階ごとに区分けされた受光センサー（受光素子）へ光反射板による知覚照射を行い、光の検知や感知によって音の変化を創りだしメロディーを奏でる電子楽器。
【請求項５】
受光センサー（受光素子）を駆使した電子楽器の自在可動機能を備えた光反射板と、その光反射板の知覚操作を行うコントロールレバー、あるいはシンセサイザー楽器に接続される機能操作を行うコントロールレバー（図４符号Ｚ参照）において、前記コントロールレバーを、管楽器を奏でるときの右手使い側と左手使い側に分割し複数の管楽器の演奏に対応できる指孔を配列し、複数の管楽器の管楽器ごとの音名音階の指孔パターンを記憶させたシンセサイザー機能による電子変換とブレスコントローラーやレバーコントローラー等を使用して電子管楽器を演奏しながら、前記自在可動機能を備えた光反射板のコントロールまたは、シンセサイザー機能に接続される他の機能操作を、管楽器の演奏と同時に行う事を可能とする特徴を有するコントロールレバーを備えた電子楽器、および請求項１〜４項いずれかに記載の受光センサー（受光素子）の光の検知や感知によって音の変化を創りだしメロディーを奏でる電子楽器。
【国際調査報告】
2015046179.tif 000007
2015046179.tif 000008
2015046179.tif 000009
2015046179.tif 000010
2015046179.tif 000011
2015046179.tif 000012
2015046179.tif 000013
2015046179.tif 000014